(57)【特許請求の範囲】
【請求項１】
データカードのための収容装置であって、データカードを案内するカードホルダと、該カードホルダに対応する、当該収容装置内へのデータカードの挿入時に該データカードによって操作可能なロック手段と、読取り・書込み位置に位置するデータカードを取出し位置に移動させることができる取出し手段とが設けられている形式のものにおいて、
カードホルダ（２０）と、該カードホルダ（２０）に支承された制御スライダ（２１）とが形成されており、該制御スライダ（２１）が、引張りばね（２８）の作用に抗して、挿入可能なデータカード（１０４）によってカードホルダ（２０）に対して相対的に移動可能であり、
カードホルダ（２０）に、制御スライダ（２１）に対応する係止ラチェット（２２）が、ばね弾性的に支承されていて、制御スライダ（２１）をロック解除するように操作可能であるように形成されており、
データカード（１０４）の運動方向に対して横方向に配置された軸線を中心として旋回可能な閉鎖エレメント（２３）が設けられており、該閉鎖エレメント（２３）が、制御スライダ（２１）に形成された滑子案内部（２４）と協働するようになっていて、データカード（１０４）の運動平面内に突入する少なくとも１つのロック体（６２；６３）を有しており、
閉鎖エレメント（２３）に、カードホルダ（２０）の閉鎖の方向で作用する押さえばね（８３）が対応しており、
閉鎖エレメント（２３）が、データカード（１０４）の挿入時に該データカード（１０４）によって押さえばね（８３）の作用に抗して旋回可能であり、
データカード（１０４）がカードホルダ（２０）内に位置している場合に閉鎖エレメント（２３）がロックされているように、制御スライダ（２１）の滑子案内部（２４）が形成されていることを特徴とする、データカードのための収容装置。
【請求項２】
カードホルダ（２０）が、一体に形成されており、平らな底部エレメント（３２）に条片（３３，３４）が、平行に一体成形されており、底部エレメント（３２）と条片（３３，３４）との間に、データカード（１０４）に相応するガイド溝（３０，３１）が形成されている、請求項１記載の収容装置。
【請求項３】
カードホルダ（２０）が、打抜き・曲げ部分として薄板から製造されている、請求項１記載の収容装置。
【請求項４】
制御スライダ（２１）と係止ラチェット（２２）と閉鎖エレメント（２３）とを支承するための手段と、カードホルダ（２０）を組付け箇所に固定するための手段とが、カードホルダ（２０）に直接一体成形されている、請求項２記載の収容装置。
【請求項５】
閉鎖エレメント（２３）が、カードホルダ（２０）に２つの側で支承されたブリッジ（７５）として形成されている、請求項１記載の収容装置。
【請求項６】
押さえばね（８３）が、板ばねとして形成されており、
押さえばね（８３）が、閉鎖エレメント（２３）に固定されており、
押さえばね（８３）の、ばね機能を果たす少なくとも１つの圧着脚部（８５，８６）が形成されており、閉鎖エレメント（２３）がカードホルダ（２０）に組み付けられている場合に、圧着脚部（８５，８６）が、カードホルダ（２０）の底部エレメント（３２）にまたは挿入されたデータカード（１０４）にばね弾性的に作用結合されている、請求項５記載の収容装置。
【請求項７】
閉鎖エレメント（２３）に形成されたロック体（６２；６３）に、データカード（１０４）の運動平面に対して傾けられた面（９７；９８）が形成されている、請求項１記載の収容装置。
【請求項８】
閉鎖エレメント（２３）に、互いに可能な限り大きな間隔を備えて、２つのロック体（６２，６３）が一体成形されている、請求項５記載の収容装置。
【請求項９】
ロック体（６２，６３）をデータカード（１０４）の運動平面内に突入させるために、底部エレメント（３２）に切欠き（６４，６５）が形成されており、さらに、底部エレメント（３２）に切欠き（６１）が設けられており、該切欠き（６１）が、挿入したいデータカード（１０４）の運動方向で見てロック体（６２，６３）のロック平面の背後にまで底部エレメント（３２）に進入しているように、ロック体（６２，６３）とカードホルダ（２０）の底部エレメント（３２）とが互いに対応している、請求項８記載の収容装置。
【請求項１０】
ガイド溝（３０，３１）が、データカード（１０４）の運動方向で見て端面側で拡張されている、請求項２記載の収容装置。
【請求項１１】
制御スライダ（２１）とカードホルダ（２０）との間に舌片・スリット結合部が設けられており、条片（３３，３４）に一体成形された舌片（４０，４１，４２，４３）が折り曲げられており、該舌片（４０，４１，４２，４３）に対応する、制御スライダ（２１）に設けられたガイドスリット（４４，４５）が、鍵孔状に形成されている、請求項１記載の収容装置。
【請求項１２】
カードホルダ（２０）を組付け箇所に固定するための手段として、条片（３３，３４）に基台（４７，４８，４９，５０）が一体成形されており、該基台（４７，４８，４９，５０）に少なくとも２つのセンタリングピン（５１，５２，５３，５４）とねじ山付き孔（５５，５６，５７，５８）とが形成されている、請求項４記載の収容装置。
【請求項１３】
係止ラチェット（２２）に対応する支承軸（５９，６０）が、カードホルダ（２０）に直接一体成形されており、
係止ラチェット（２２）の軸方向の位置固定のために、制御スライダ（２１）にフィンガ状に形成された押さえ（７１）が設けられている、請求項４記載の収容装置。
【請求項１４】
カードホルダ（２０）内へのデータカード（１０４）の挿入によって、閉鎖エレメント（２３）が閉鎖位置から旋回させられてカードホルダ（２０）のガイド平面が解放され、データカード（１０４）による制御スライダ（２１）の後続の移動時に、閉鎖エレメント（２３）が、旋回させられた位置で保持され、データカード（１０４）の終端位置で、閉鎖エレメント（２３）が自動的に閉鎖位置に戻し案内されて旋回に対してロックされるように、制御スライダ（２１）に設けられた滑子案内部（２４）が形成されている、請求項１記載の収容装置。
【請求項１５】
押さえばね（８３）が、フック／アイ結合手段（８９，９０／８７，８８）と支持・差込み結合手段（９１，９２）とを使用して閉鎖エレメント（２３）に形状接続的に結合されている、請求項６記載の収容装置。
【発明の詳細な説明】
【０００１】
【発明の属する技術分野】
本発明は、データカードのための収容装置であって、データカードを案内するカードホルダと、該カードホルダに対応する、当該収容装置内へのデータカードの挿入時に該データカードによって操作可能なロック手段と、読取り・書込み位置に位置するデータカードを取出し位置に移動させることができる取出し手段とが設けられている形式のものに関する。
【０００２】
【従来の技術】
実用車の運転者の個人的な作業時間と休憩時間とを検出するためにデータカードを使用する場合には、この記録手段の記録値のために、意図的に行われる、データ検出装置とデータカードとの間のデータ転送の妨害を回避するための確実な防止手段が必要となる。しかし、特に運転者の手の届く範囲内の構造奥行きに関する空間的な可能性は実用車では著しく制限されているので、データカードを搬送する間のより大きい搬送距離および場合によっては方向変化が、安全手段としてのデータカードのための相応の収容装置を内蔵しているタコグラフでも、自律的なデータカードユニットとしての構成部でも実現不能となる。データカードのための適切な収容装置を開発することに対する難点として、使用環境が著しい気候変動を有しており、温度および湿分に基づく材料変化によって機能妨害が生ぜしめられ得ることが挙げられる。さらに、実用車内で使用するためには、大量生産の条件、つまり、可能な限り単純なかつ比較的僅かな手間で製造可能な構成部分の、大量生産に適した組付けが考慮され得る。
【０００３】
【発明が解決しようとする課題】
したがって、前述した大量生産適合性に関連して、本発明の課題は、冒頭で述べた形式の、データカードのための収容装置を改良して、収容装置が実用車使用に対して十分に頑丈であり、かつ使用箇所を支配している条件下で、信頼できる機能と処理確実性とを提供しているようにすることである。
【０００４】
【課題を解決するための手段】
この課題を解決するために本発明の構成では、カードホルダと、該カードホルダに支承された制御スライダとが形成されており、該制御スライダが、引張りばねの作用に抗して、挿入可能なデータカードによってカードホルダに対して相対的に移動可能であり、カードホルダに、制御スライダに対応する係止ラチェットが、ばね弾性的に支承されていて、制御スライダをロック解除するように操作可能であるように形成されており、データカードの運動方向に対して横方向に配置された軸線を中心として旋回可能な閉鎖エレメントが設けられており、該閉鎖エレメントが、制御スライダに形成された滑子案内部と協働するようになっていて、データカードの運動平面内に突入する少なくとも１つのロック体を有しており、閉鎖エレメントに、カードホルダの閉鎖の方向で作用する押さえばねが対応しており、閉鎖エレメントが、データカードの挿入時に該データカードによって押さえばねの作用に抗して旋回可能であり、データカードがカードホルダ内に位置している場合に閉鎖エレメントがロックされているように、制御スライダの滑子案内部が形成されているようにした。
【０００５】
【発明の効果】
本発明の有利な構成では、カードホルダが、打抜き・曲げ部分として薄板から製造されており、カードホルダが、一体に形成されており、平らな底部エレメントに条片が、平行に一体成形されており、底部エレメントと条片との間に、データカードに相応するガイド溝が形成されている。
【０００６】
有利な構成では、閉鎖エレメントが、カードホルダに２つの側で支承されたブリッジとして有利な形式で形成されており、このブリッジに、板ばねとして形成された押さえばねが配置されている。
【０００７】
本発明のさらに有利な構成は、まだ引用していない従属請求項に記載してある。
【０００８】
提案された解決手段の決定的な利点は、収容装置が、簡単に組み付けることができる頑丈に形成された極めて僅かな数の構成部分から成っているという点に見ることができる。この場合、構造上のコンセプトでは、支持性を有するカードホルダが、少なくとも打抜き・曲げ部分として薄板、たとえば耐食性の材料から製造される。これによって、高い個数と満足のいく再現可能性とが比較的低い製造費用で可能となる。さらに、構造上のコンセプトでは、単純なひいては廉価な潤滑媒体の使用時でも十分な保守自由度と機能安定性とが、実用車内を支配している粗雑な運転条件下でも得られる。さらに、最小限の構造高さを獲得することができる。この場合、場合によって必要となる補強部は、簡単に設けることができるビードによって形成可能である。
【０００９】
データカードは専ら手によって読取り・書込み位置にまで収容装置内に挿入されるので、一方では表面とデータカードの曲げとの無関係性が存在しており、他方ではデータカードの取出しが比較的大きな力で行われ得る。この場合、取り出したいデータカードに支持されている押さえばねが制動機能を果たしている。これに関連して、データカードがカードホルダ内に位置している場合には、押さえばねが、カードホルダ内にデータカードが存在していない場合よりも強く緊張されていて、したがって、より大きい閉鎖力を加えていることも言及に値する。すなわち、閉鎖エレメントの旋回がデータカードの導入時には容易である。さらに、有利には、制御スライダに適切に形成された、閉鎖エレメントを案内する滑子案内部による収容装置のロックは単純な手段によって解決されている。閉鎖エレメントのロック状態では、収容装置内に位置するデータカードはもはや移動することができないので、データカードの接触接続の中断による処理もしくはマニプレーションは排除されている。
【００１０】
さらに、形状に関して安定した収容装置の構成では、収容装置がプリント配線板に直接対応している場合に、温度および湿分によるプリント配線板の変形が作用し続けないだけでなく、収容装置のために選択された材料に基づき遮蔽作用も提供されているという利点が得られる。さらに、提案された構造では、プリント配線板の、データカードの接触接続のための接点組も位置する、収容装置に面した側に、比較的大きな装着自由室が残存している。さらに、提案された解決手段によって、緊急ロック解除が簡単に実現可能となる。この場合、収容装置の前側のカバーに、鉛封印されたただ１つの開口を設けることができる。この開口によって、制御スライダの係止ラチェットを特定の「工具」によって操作することができる。
【００１１】
【発明の実施の形態】
以下に、本発明の実施の形態を図面につき詳しく説明する。
【００１２】
図１に示したタコグラフ１は、直方体状の組込みケーシングに結合されたフロントカバー２を有している。このフロントカバー２にはディスプレイ３が保持されていると共にボタン４，５が配置されている。符号６によって、ディスプレイ３に対応する窓切欠きが示してある。封印体８が対応しているカバー７は、診断・パラメータ化目的のために設けられたコネクタソケットを閉鎖している。符号９，１０によってスリットが示してある。このスリット９，１０によって収容装置への接近が可能となる。この収容装置は、運転者Ｉ，ＩＩに対応する個人的なデータカードのために設けられている。スリット９，１０には、データカードをより容易に導入するために、漏斗状の凹部１１，１２と、中央に加工成形された指つまみ用の窪み１３，１４とが設けられている。これによって、データカードは各読取り・書込み位置にまで押込み可能となる。符号１５によって示したスリットは、タコグラフ１内に配置された記録プリンタの印刷担体を通過させるために設けられている。タコグラフ１の、フロントカバー２に案内されたかもしくはフロント壁を貫通する別のボタン１６，１７，１８は、ボタン４，５と相俟って、運転者の最も重要な作業時間データの選択と、選択されたデータモードのデータ記録における前方・後方スクロールと、印刷開始と、データカードの放出とに役立つ。
【００１３】
図２に示した収容装置１９は、主として、データカードのためのポケットを形成するカードホルダ２０と、このカードホルダ２０に移動可能に支承された制御スライダ２１と、この制御スライダ２１に対応する係止ラチェット２２と、カードホルダ２０に回動可能に支承された閉鎖エレメント２３とから成っている。この閉鎖エレメント２３は、制御スライダ２１に形成された滑子案内部２４を介してピン２５，２６によって制御スライダ２１に作用結合されている。さらに、収容装置１９は、図１に示したように、２つの収容装置１９が互いに並列に配置されている場合には、制御スライダ２１と係止ラチェット２２とが収容装置１９に交互に取付け可能であるように形成されている。これによって、たとえばモータにより操作される作動機構（本発明では重要でないので図示しない）を目的に即して、すなわち、可能な限り僅かな空間要求でタコグラフ１内に配置することができる。前記作動機構は、データカードを放出する場合に、係止ラチェット２２に形成されたフィンガ２７（図２および図５参照）と協働するように係止ラチェット２２を旋回させる。さらに、この箇所では、設定された構造上のコンセプトによって、収容装置１９の両側に取出し手段、つまり、２つの制御スライダ２１と、両制御スライダ２１に対応する引張りばね２８と、２つの係止ラチェット２２と、両係止ラチェット２２に作用する戻しばね２９とを装備することが簡単に可能となることが分かった。この場合、係止ラチェット２２は、制御スライダ２１を同時にロック解除するように互いに機械的に連結されていなければならない。これによって、カードホルダ２０のガイド溝３０，３１内に増大された摩擦を生ぜしめる、曲げられたまたは湾曲させられたデータカードも傾倒なしに取出し位置に移動させることができることが達成される。
【００１４】
図２に詳しく示したように、打抜き・曲げ部分として一体に形成されたカードホルダ２０は、場合によってビード（Ｓｉｅｋｅ）を備えた補強された底部エレメント３２を有している。この底部エレメント３２には、互いに平行に条片３３，３４が一体成形されている。これによって、条片３３，３４と底部エレメント３２との間には、データカードの厚さにほぼ相当するガイド溝３０，３１が形成されている。同時に、このガイド溝３０，３１は、僅かな遊びを備えてデータカードの側方ガイドにも役立つ。提案された収容装置１９において手によって書込み・読取り位置に差し込みたいデータカードのための終端ストッパとして、底部エレメント３２にタブ３５，３６が曲げられている。底部エレメント３２に設けられたスリット３７，３８は、制御スライダ２１に一体成形された連行体３９の通過に役立つ。符号４０，４１，４２，４３によって、条片３３，３４から加工成形された舌片が示してある。この舌片４０，４１，４２，４３は、カードホルダ２０上での制御スライダ２１の案内および保持のために設けられている。これに関連して、制御スライダ２１には、鍵孔に類似のガイドスリット４４，４５が形成されている。タコグラフ１のプリント配線板４６（図４参照）へのカードホルダ２０の固定には、条片３３，３４ひいてはカードホルダ２０に一体成形された基台４７，４８，４９，５０が役立つ。この基台４７，４８，４９，５０には、それぞれセンタリングピン５１，５２，５３，５４とねじ山付き孔５５，５６，５７，５８とが形成されている。これに関連して、基台４７，４８，４９，５０の箇所における製造を簡単にするためには、プリント配線板４６との組合せ結合のために形成されたラグを備えた支持脚部が条片３３，３４に直角に一体成形されていさえすればよいことが分かった。条片３３，３４から引き出された２つのノズル５９，６０は係止ラチェット２２の支承軸として役立つ。さらに、図２から明らかであるように、フロント側で折り曲げられて形成された底部エレメント３２は、中間に設けられた切欠き６１と、閉鎖エレメント２３に形成されたロック体６２，６３に対応する切欠き６４，６５とを有している。さらに、連続複合工具によって有利に製造されたカードホルダ２０に、一方では引張りばね２８を掛け込むためのフック６６，６７および他方では戻しばね２９を掛け込むためのフック６８，６９も直接一体成形されていることが分かった。少なくとも部分的に１つの折曲げ異形成形部を有する制御スライダ２１の、同じく打抜き・曲げ部分として薄板から製造されていて、すでに上述したように、カードホルダ２０に移動可能に案内されている一方の脚部７０には、連行体３９の他に、係止ラチェット２２と協働する押さえ７１と、係止歯７２とが形成されている。他方の脚部７３には、引張りばね２８に対応するフック７４が一体成形されており、閉鎖エレメント２３を制御する滑子案内部２４が切り欠かれている。
【００１５】
閉鎖エレメント２３も同じく打抜き曲げ技術的に製造されている。すでに上述したロック体６２，６３はブリッジ７５に一体成形されている。このブリッジ７５はＵ字形の異形成形体として形成されていて、支承アーム７６，７７を備えている。この支承アーム７６，７７からは、一方では制御スライダ２１の滑子案内部２４内に係合するピン２５，２６がかつ他方では閉鎖エレメント２３の支承ピン７８（図３参照），７９が押し出されている。符号８０，８１によって、条片３３，３４に一体成形された、閉鎖エレメント２３の支承ピン７８，７９に対応する支承孔を備えたピラーが示してある。支承孔の１つは、図３に符号８２によって示してある。閉鎖エレメント２３がその機能を果たすことができるように、閉鎖エレメント２３に直接結合された、板ばねとして形成された押さえばね８３が設けられている。この押さえばね８３は、主として、閉鎖エレメント２３のブリッジ７５のＵ字形の異形成形体内を通過する支持エレメント８４と、この支持エレメント８４に一体成形された圧着脚部８５，８６とによって形成されている。閉鎖エレメント２３への押さえばね８３の固定は形状接続的（ｆｏｒｍｓｃｈｌｕｅｓｓｉｇ）に実現されている。この場合、一方では、押さえばね８３にアイ８７，８８が加工成形されていて、このアイ８７，８８に、閉鎖エレメント２３から曲げ出されたフック８９，９０が対応しており、他方では、ブリッジ７５の脚部（図示せず）にスリットが形成されていて、このスリットに対応する舌片が押さえばね８３の支持エレメント８４に形成されている。舌片・スリット結合部は、図２に符号９１，９２によって示してある。
【００１６】
図２から付加的に知ることができるが、特に図３から知ることができるように、係止ラチェット２２には、軸方向で有効となる、打抜き曲げ技術的に形成されたストッパ９３，９４が対応している。このストッパ９３，９４の作用は、係止ラチェット２２が、制御スライダ２１に形成された係止歯７２によって旋回させられる場合に、この機能状態で係止ラチェット２２の上方に位置する押さえ７１によって補足される。符号９５，９６によって、ロック体６２，６３の裏側に形成された面が示してある。この面９５，９６は、閉鎖エレメント２３の組付け状態でデータカードの運動平面に対してほぼ直角に延びている、すなわち、押さえばね８３の作用下でデータカードの運動平面内に突入していて、ロック平面を形成している。これに対して、ロック体６２，６３の、データカードの運動平面に対して傾けられて形成されているフロント側の面９７，９８は斜めの平面を形成している。この平面によって、データカードの挿入時の閉鎖エレメント２３の旋回が容易となる。
【００１７】
図３に示した寸法「ａ」は、底部エレメント３２と条片３３，３４との間に設けられたガイド溝３０，３１の高さを特徴付けている。図３には、符号２４ａによって、滑子案内部２４の、図示の閉鎖位置からの閉鎖エレメント２３の旋回を可能にする区分が示してある。符号２４ｂでは、滑子案内部２４の、データカードの挿入および取出しの間にロック体６２，６３がカードホルダ２０のロック解除の方向で持ち上げられている区分が示してある。区分２４ｃは、制御スライダ２１が係止ラチェット２２によってロックされている場合に、制御スライダ２１の運動方向に対して斜めに延びる滑子案内制限部９９に基づき、閉鎖位置からの閉鎖エレメント２３の回動が行われることを阻止している。換言するならば、外部からのロック体６２，６３の持上げは排除されている。
【００１８】
さらに、念のために付言しておくと、制御スライダ２１の脚部７０は、滑子案内部２４を解放するためにかつ最も低い構造高さを備えて滑子案内部２４を形成するために適切に切り欠かれている。図３に破線で示した切欠きには、符号１００が付してある。
【００１９】
タコグラフ１のフロントカバー２とプリント配線板４６とに対する、本発明による収容装置１９の対応関係が示してある図４には、構造高さに関する、収容装置１９のために必要となる比較的僅かな要求が示してある。すなわち、タコグラフ１の具体的な事例では、プリント配線板４６と底部部分１０１との間に、最大で１０ｍｍの構造高さが提供されている。構造高が約７．５ｍｍである場合には、プリント配線板４６にねじ１０２を用いて固定された収容装置１９によって、比較的肉薄のかつ大きい面の底部部分１０１の撓みが、収容装置１９に対する反作用と、曲げに対して敏感なプリント配線板４６に対する収容装置１９を介した反作用とが生ぜしめられることなしに、タコグラフ１の操作時、たとえば車両へのタコグラフ１の組込み時に可能となる。符号１０３によって、タコグラフ１の側壁が示してある。また、符号１０４によって、挿入したいデータカードが示してある。
【００２０】
図５には、すでに説明した図面では部分的にしか知ることができない、制御スライダ２１と協働する係止ラチェット２２が示してある。この係止ラチェット２２は主として二腕状のレバーを成している。このレバーの一方のアームはフィンガ２７によって形成される。このフィンガ２７は、データカードの放出もしくは取出しのために矢印Ｐの方向に操作される。他方のアームにはラチェット尖端部１０５が設けられている。このラチェット尖端部１０５は、制御スライダ２１に形成された係止歯７２と協働する。曲げられたフック１０６は、戻しばねの一方の端部の掛込みに役立つ。符号１０７によって、係止ラチェット２２の、ノズル５９，６０に対応する支承孔が示してある。
【００２１】
以下に、データカード１０４の挿入時および取出し時の経過を再度まとめる。データカード１０４の挿入時には、まずこのデータカード１０４が、フロントカバー２に位置するスリット９；１０に向かって方向付けられ、ロック体６２，６３に形成された面９７，９８に衝突し、付与された楔伝動装置に基づき閉鎖エレメント２３を旋回させる。この場合、押さえばね８３の圧着脚部８５，８６には、付加的な予荷重もしくはプレロードがかけられている。その後、ガイド溝３０，３１と押さえばね８３の圧着脚部８５，８６とによるデータカード１０４の位置決めおよび押さえが行われる。データカード１０４をさらに押し込むと、このデータカード１０４は、制御スライダ２１に形成された、ガイド溝３０に係合する連行体３９に衝突する。これによって、制御スライダ２１は引張りばね２８のばね力に抗して、データカード１０４がタブ３５，３６に当接するまでもしくは係止ラチェット２２のラチェット尖端部１０５が、制御スライダ２１に形成された係止歯７２の手前に進入するまで移動させられる。データカード１０４が読取り・書込み位置に到達して係止ラチェット２２が有効となる直前に、閉鎖エレメント２３が滑子案内部２４を介して旋回させられ、ロック体６２，６３が、押し込まれたデータカード１０４の背後に下降させられる。読取り・書込み位置への到達、換言するならば、データカード１０４の、整然とした機能位置は、たとえば係止ラチェット２１に対応するライトバリアによって監視することができる。データカード１０４の取出しはボタン操作によって作動され、有利にはモータにより操作される作動機構がフィンガ２７に作用することにより、係止ラチェット２２の旋回によって行われる。制御スライダ２１を係止ラチェット２２によって解放した後、引張りばね２８が制御スライダ２１を、滑子案内部２４によって設定された出発位置に戻し案内する。この場合、解放の直後に滑子案内部２４によって制御されてロック体６２，６３の持上げが行われる。制御スライダ２１の戻し案内と同時にデータカード１０４が取出し位置に移動させられる。この場合、押さえばね８３の圧着脚部８５，８６が制動機能を果たしている。データカード１０４が取り出されると、閉鎖エレメント２３も押さえばね８３の作用下で、同じく滑子案内部２４によって規定された出発位置に戻し旋回させられる。この出発位置では、ロック体６２，６３は、図４に示したように、データカード１０４の運動平面内に突入している。
【図面の簡単な説明】
【図１】本発明による収容装置が組み込まれているタコグラフの正面図である。
【図２】収容装置の斜視図である。
【図３】図２のＢ方向から見た収容装置の側面図であり、この場合、中間の領域は中断して示してあり、図面を見やすくするために引張りばねは省略してある。
【図４】図１に示したタコグラフに対応するフロントカバーとプリント配線板と収容装置との部分断面図である。
【図５】係止ラチェットの斜視図である。
【符号の説明】
１  タコグラフ、  ２  フロントカバー、  ３  ディスプレイ、  ４  ボタン、  ５  ボタン、  ６  窓切欠き、  ７  カバー、  ８  封印体、  ９  スリット、  １０  スリット、  １１  凹部、  １２  凹部、  １３  窪み、  １４  窪み、  １５  スリット、  １６  ボタン、  １７  ボタン、  １８  ボタン、１９  収容装置、  ２０  カードホルダ、  ２１  制御スライダ、  ２２  係止ラチェット、  ２３  閉鎖エレメント、  ２４  滑子案内部、  ２４ａ  区分、  ２４ｂ  区分、  ２４ｃ  区分、  ２５  ピン、  ２６  ピン、  ２７  フィンガ、  ２８  引張りばね、  ２９  戻しばね、  ３０  ガイド溝、  ３１  ガイド溝、  ３２  底部エレメント、  ３３  条片、  ３４  条片、  ３５  タブ、  ３６  タブ、  ３７  スリット、  ３８  スリット、  ３９  連行体、  ４０  舌片、  ４１  舌片、  ４２  舌片、  ４３  舌片、  ４４  ガイドスリット、  ４５  ガイドスリット、  ４６  プリント配線板、  ４７  基台、  ４８  基台、  ４９  基台、  ５０  基台、  ５１  センタリングピン、  ５２  センタリングピン、  ５３  センタリングピン、  ５４  センタリングピン、  ５５  ねじ山付き孔、  ５６  ねじ山付き孔、  ５７  ねじ山付き孔、  ５８  ねじ山付き孔、  ５９  ノズル、  ６０  ノズル、  ６１  切欠き、  ６２  ロック体、  ６３  ロック体、  ６４  切欠き、  ６５  切欠き、  ６６  フック、  ６７  フック、  ６８  フック、  ６９  フック、  ７０  脚部、  ７１  押さえ、  ７２  係止歯、  ７３  脚部、  ７４  フック、  ７５  ブリッジ、７６  支承アーム、  ７７  支承アーム、  ７８  支承ピン、  ７９  支承ピン、  ８０  ピラー、  ８１  ピラー、  ８２  支承孔、  ８３  押さえばね、８４  支持エレメント、  ８５  圧着脚部、  ８６  圧着脚部、  ８７  アイ、  ８８  アイ、  ８９  フック、  ９０  フック、  ９１  舌片・スリット結合部、  ９２  舌片・スリット結合部、  ９３  ストッパ、  ９４  ストッパ、９５  面、  ９６  面、  ９７  面、  ９８  面、  ９９  滑子案内制限部、１００  切欠き、  １０１  底部部分、  １０２  ねじ、  １０３  側壁、  １０４  データカード、  １０５  ラチェット尖端部、  １０６  フック、  １０７  支承孔
【図１】
0003747170.tif 000002
【図２】
0003747170.tif 000003
【図３】
0003747170.tif 000004
【図４】
0003747170.tif 000005
【図５】
0003747170.tif 000006